(57)【特許請求の範囲】
【請求項１】
本体と、動力ユニットと、ガス式重錘とを含むガス式玩具銃のリコイル伝達構造であって、
前記本体は、内部に収容チャンバーが設けられる中段部と、トリガーユニットが設けられるストック部とを備え、前記収容チャンバー内にピストン筒が設置され、前記ストック部は、前記中段部の後側に設置され、且つ前記ストック部の内部にはガス式重錘チャンバーが設けられ、前記ガス式重錘チャンバーの前端には、前記収容チャンバーに連通すると共に、前記ピストン筒と位置合わせするようにした貫通孔を備え、前記ガス式重錘チャンバーの後端壁面上には、第１の気孔を有し、前記第１の気孔は前記ガス式重錘チャンバーの外部に連通し、前記ガス式重錘チャンバーの側壁面上には、少なくとも一つの第２の気孔を有し、前記第２の気孔は前記ガス式重錘チャンバーの外部に連通し、
前記動力ユニットは、ピストンユニットと、駆動ユニットとを備え、前記ピストンユニットは、ピストンと、連動ユニットと、復帰力ユニットと、ガス式ピストンと、弾性ユニットとを備え、前記ピストンは、前記ピストン筒内に貫設されると共に、前記ピストン筒内に軸方向移動可能とされ、且つ前記ピストンの側壁面上には櫛歯状構造を有し、前記連動ユニットの前端は前記ピストンに当接し、前記連動ユニットの後端は前記貫通孔を通して前記ガス式重錘チャンバー内に延長し、前記復帰力ユニットは、前記収容チャンバー内に設置され、且つ前記ピストンが後側へ移動する時に前側に向ける復帰力を提供し、前記ガス式ピストンは、前記連動ユニットの後端に設置されると共に、前記ガス式重錘チャンバー内に移動可能とされ、且つ前記ガス式重錘チャンバーに空気を遮断して気密状態に形成し、前記ガス式ピストンは前記第２の気孔の前側に位置し、前記弾性ユニットは、前記ガス式ピストン及び前記ガス式重錘チャンバーの前端壁面上に対応して設置されると共に、前記ガス式ピストンが後側へ移動する時に前側に向ける復帰力を提供し、前記駆動ユニットは、前記中段部に設置されると共に、前記櫛歯状構造と噛み合わせ、且つ前記トリガーユニットが引かれる時に前記トリガーユニットの駆動によって作動し、前記ガス式ピストンを前記第２の気孔を通り越して後方へ移動させるように、前記櫛歯状構造と前記ピストンを後方へ移動させるように駆動し、
前記ガス式重錘は、前記ガス式重錘チャンバー内に設置されると共に、前記第２の気孔の後側に位置し、前記ガス式重錘チャンバー内に移動可能とされ、且つ前記ガス式ピストンとの間に気密空間を形成するように、前記ガス式重錘チャンバーに空気を遮断して気密状態に形成することを特徴とする、ガス式玩具銃のリコイル伝達構造。
【請求項２】
前記収容チャンバーは、軸方向に配置される長尺状空間であることを特徴とする、請求項１に記載のガス式玩具銃のリコイル伝達構造。
【請求項３】
前記ピストン筒は、前端が閉鎖されて後端が開放する筒状部材であることを特徴とする、請求項１に記載のガス式玩具銃のリコイル伝達構造。
【請求項４】
前記ガス式重錘チャンバーは、前記ストック部の内に軸方向に配置されることを特徴とする、請求項１に記載のガス式玩具銃のリコイル伝達構造。
【請求項５】
前記ピストンの後段が、前記ピストン筒から延出されることを特徴とする、請求項１に記載のガス式玩具銃のリコイル伝達構造。
【請求項６】
前記連動ユニットは、長尺リンクであることを特徴とする、請求項１に記載のガス式玩具銃のリコイル伝達構造。
【請求項７】
前記復帰力ユニットは、前記連動ユニット上に装設されたスプリングであることを特徴とする、請求項１に記載のガス式玩具銃のリコイル伝達構造。
【請求項８】
前記ガス式ピストンの壁面上には、少なくとも一つの第１の気密リングを備え、前記第１の気密リングは前記ガス式重錘チャンバーの壁面に当接することにより、空気を遮断して気密状態を形成することを特徴とする、請求項１に記載のガス式玩具銃のリコイル伝達構造。
【請求項９】
前記駆動ユニットは、駆動モータと駆動ギアセットからなることを特徴とする、請求項１に記載のガス式玩具銃のリコイル伝達構造。
【請求項１０】
前記ガス式重錘の壁面上には、少なくとも一つの第２の気密リングを備え、前記第２の気密リングは前記ガス式重錘チャンバーの壁面に当接することにより、空気を遮断して気密状態を形成することを特徴とする、請求項１に記載のガス式玩具銃のリコイル伝達構造。
【請求項１１】
前記ガス式重錘の後端と前記ガス式重錘チャンバーの後側壁面との間には、補助付勢ユニットが設けられることを特徴とする、請求項１に記載のガス式玩具銃のリコイル伝達構造。
【発明の詳細な説明】
【技術分野】
【０００１】
本発明は、ガス式玩具銃のリコイル伝達構造に係り、特に、ガス式の方法で推進力と復帰力を提供し得る玩具銃のリコイル伝達構造に関する。
【背景技術】
【０００２】
玩具銃（エアガン）は、一般大衆に愛好される娯楽用具であり、年齢層も幅広く楽しめるものである。而して、その技術分野による発展に連れ、玩具銃の娯楽効果を一層向上させるために、本物の銃のリコイルを再現できる装置が開発され、ユーザが銃を撃てる時に本物の銃みたいのリコイル衝撃を体感できることになり、真実感と臨場感をより高めることができる。
【０００３】
ところで、従来のリコイル生成構造は、一般に、玩具銃のケースの内部空間にピストン、ピストンスプリング、案内ロッド、ウエイト、リコイルスプリングなどの部材が装着されている。その中、従来のリコイル生成構造では、リコイル伝達部品としてスプリングを採用するが、スプリングの特性として時間と使用回数に応じて疲労を生じことが必然であるため、スプリングの弾力が減少し続けることでリコイル生成の効果も下がることになる。また、スプリングという非剛体的な部品では、実際の組み合わせにおいて複雑且つ固定しづらい等の問題が存在する。さらに、上記の欠点以外、スプリングを位置決めすることもまた困難であるため、動力の伝達効率にも影響が出る。
【発明の概要】
【発明が解決しようとする課題】
【０００４】
上記従来技術の不足に鑑み、従来技術の難点を克服するため、本発明は一種のガス式玩具銃のリコイル伝達構造を提出する。
【課題を解決するための手段】
【０００５】
上述した目的を達成するため、本発明のガス式玩具銃のリコイル伝達構造は、本体と、動力ユニットと、ガス式重錘とを含み、前記本体は、内部に収容チャンバーが設けられる中段部と、トリガーユニットが設けられるストック部とを備え、前記収容チャンバー内にピストン筒が設置され、前記ストック部は、前記中段部の後側に設置され、且つ前記ストック部の内部にガス式重錘チャンバーが設けられ、前記ガス式重錘チャンバーの前端には、前記収容チャンバーに連通すると共に、前記ピストン筒と位置合わせするようにした貫通孔を備え、前記ガス式重錘チャンバーの後端壁面上には、第１の気孔を有し、前記第１の気孔は前記ガス式重錘チャンバーの外部に連通し、前記ガス式重錘チャンバーの側壁面上には、少なくとも一つの第２の気孔を有し、前記第２の気孔は前記ガス式重錘チャンバーの外部に連通し、前記動力ユニットは、ピストンユニットと、駆動ユニットとを備え、前記ピストンユニットは、ピストンと、連動ユニットと、復帰力ユニットと、ガス式ピストンと、弾性ユニットとを備え、前記ピストンは、前記ピストン筒内に貫設されると共に、前記ピストン筒内に軸方向移動可能とされ、且つ前記ピストンの側壁面上には櫛歯状構造を有し、前記連動ユニットの前端は前記ピストンに当接し、前記連動ユニットの後端は前記貫通孔を通して前記ガス式重錘チャンバー内に延長し、前記復帰力ユニットは、前記収容チャンバー内に設置され、且つ前記ピストンが後側へ移動する時に前側に向ける復帰力を提供し、前記ガス式ピストンは、前記連動ユニットの後端に設置されると共に、前記ガス式重錘チャンバー内に移動可能とされ、且つ前記ガス式重錘チャンバーに空気を遮断して気密状態に形成し、前記ガス式ピストンは前記第２の気孔の前側に位置し、前記弾性ユニットは、前記ガス式ピストン及び前記ガス式重錘チャンバーの前端壁面上に対応して設置されると共に、前記ガス式ピストンが後側へ移動する時に前側に向ける復帰力を提供し、前記駆動ユニットは、前記中段部に設置されると共に、前記櫛歯状構造と噛み合わせ、且つ前記トリガーユニットが引かれる時に前記トリガーユニットの駆動によって作動し、前記ガス式ピストンを前記第２の気孔を通り越して後方へ移動させるように、前記櫛歯状構造と前記ピストンを後方へ移動させるように駆動し、前記ガス式重錘は、前記ガス式重錘チャンバー内に設置されると共に、前記第２の気孔の後側に位置し、前記ガス式重錘チャンバー内に移動可能とされ、且つ前記ガス式ピストンとの間に気密空間を形成するように、前記ガス式重錘チャンバーに空気を遮断して気密状態に形成することを特徴とする、ガス式玩具銃のリコイル伝達構造。
【発明の効果】
【０００６】
本発明のガス式玩具銃のリコイル伝達構造は、スプリング等機械的な緩衝と復帰力技術の代わりに、ガス式の構造を利用して、スプリング主体の緩衝と復帰力構造という従来技術による問題、例えばスプリングの摩耗や弾性疲労、及び取り付けと位置決めの困難さを改善することによって、より迫真のリコイル衝撃を提供する他、品質管理的にも有利になり、さらに玩具銃製品の寿命も伸ばす等多くの利点がある。
【図面の簡単な説明】
【０００７】
【図１】本発明のガス式玩具銃のリコイル伝達構造の要部断面図。
【図２】本発明のガス式玩具銃のリコイル伝達構造の要部断面図。
【図３】本発明のガス式玩具銃のリコイル伝達構造の作動要部断面図。
【図４】本発明のガス式玩具銃のリコイル伝達構造の作動要部断面図。
【図５】本発明のガス式玩具銃のリコイル伝達構造の作動要部断面図。
【発明を実施するための形態】
【実施例１】
【０００８】
図１と図２を参照して、本発明のガス式玩具銃のリコイル伝達構造の好適的な一例は、本体１０と、動力ユニット２０と、ガス式重錘３０とを含む。
【０００９】
前記本体１０は玩具銃であり、中段部１１と、バレル１２と、ストック部１３とを含む。
【００１０】
また、中段部１１の内部には、収容チャンバー１１１を備え、前記収容チャンバー１１１は、軸方向に配置される長尺状空間であり、その収容チャンバー１１１の前端にピストン筒１１２が設けられる、前記ピストン１１２筒は、前端が閉鎖されて後端が開放する筒状部材である。また、前記中段部１１は、さらにグリップ１１３及びトリガーユニット１１４を備え、前記バレル１２は、前記中段部１１の前側に対応して設置される。
【００１１】
その内、前記ストック部１３前記中段部１１の後側に対応して設置され、且つ前記ストック部１３の内部には軸方向に配置されたガス式重錘チャンバー１３１を備え、前記ガス式重錘チャンバー１３１の前端には、貫通孔１３２を備え、前記貫通孔１３２は前記収容チャンバー１１１に連通すると共に、前記ピストン筒１１２と位置合わせするように設置され、前記ガス式重錘チャンバー１３１の後端壁面上には、さらに第１の気孔１３３を有し、前記第１の気孔１３３は前記ガス式重錘チャンバー１３１の外部に連通する。また、前記ガス式重錘チャンバー１３１の側壁面上には、少なくとも一つの第２の気孔１３４をさらに有し、前記第２の気孔１３４は前記ガス式重錘チャンバー１３１の外部に連通し、空気の出入りを許す。
【００１２】
前記動力ユニット２０は、ピストンユニット２１と、駆動ユニット２２とを備える。
【００１３】
その内、前記ピストンユニット２１は、ピストン２１１と、連動ユニット２１２と、復帰力ユニット２１３と、ガス式ピストン２１４と、弾性ユニット２１５とを備える。
【００１４】
また、前記ピストン２１１は、前記ピストン筒１１２内に貫設されると共に、前記ピストン筒１１２内に軸方向移動可能とされ、且つ前記ピストン２１１の側壁面上には櫛歯状構造２１１１を有する。
【００１５】
また、前記連動ユニット２１２の前端は前記ピストン２１１に当接する一方、前記連動ユニット２１２の後端は前記貫通孔１３２を通して前記ガス式重錘チャンバー１３１内に延長する。なお、前記連動ユニット２１２は長尺リンクである。
【００１６】
また、前記復帰力ユニット２１３は、前記収容チャンバー１１１内に対応して設置され、且つ前記ピストン２１１が後側へ移動する時に前側に向ける復帰力を提供することができる。なお、前記復帰力ユニット２１３は前記連動ユニット２１２上に装設されたスプリングである。
【００１７】
また、前記ガス式ピストン２１４は、前記連動ユニット２１２の後端に設置されると共に、前記ガス式重錘チャンバー１３１内に移動可能とされ、且つ前記ガス式重錘チャンバー１３１に空気を遮断して気密状態に形成できる。その内、前記ガス式ピストン２１４の壁面上には、第１の気密リング２１４１を備え、前記第１の気密リング２１４１は前記ガス式重錘チャンバー１３１の壁面に当接することにより、気密状態を形成する。また、前記ガス式ピストン２１４は前記第２の気孔１３４の前側に位置する。
【００１８】
また、前記弾性ユニット２１５は、前記ガス式ピストン２１４及び前記ガス式重錘チャンバー１３１の前端壁面上に対応して設置されると共に、前記ガス式ピストン２１４が後側へ移動する時に前側に向ける復帰力を提供することができる。なお、前記弾性ユニット２１５はスプリングである。
【００１９】
その内、前記駆動ユニット２２は、前記中段部１１に設置されると共に、前記櫛歯状構造２１１１と噛み合わせ、且つ前記トリガーユニット１１４が引かれる時に、前記トリガーユニット１１４の駆動によって作動し、前記ガス式ピストン２１４を前記第２の気孔１３４を通り越して後方へ移動させるように、前記櫛歯状構造２１１１と前記ピストン２１１を後方へ移動させるように駆動する。そして、上記の作動が完了した後、前記ピストン２１１は前記復帰力ユニット２１３による復帰力を受けて元の位置に戻す。また、前記駆動ユニット２２は、駆動モータ２２１と駆動ギアセット２２２によって構成することができる。
【００２０】
前記ガス式重錘３０は、前記ガス式重錘チャンバー１３１内に設置されると共に、前記第２の気孔１３４の後側に位置し、前記ガス式重錘チャンバー１３１内に移動可能とされ、且つ前記ガス式ピスト２１４ンとの間に気密空間を形成するように、前記ガス式重錘チャンバー１３１に空気を遮断して気密状態に形成する。また、前記ガス式重錘３０の壁面上には、少なくとも一つの第２の気密リング３１を備え、前記第２の気密リング３１は前記ガス式重錘チャンバー１３１の壁面に当接することにより、気密状態を形成し、且つ前記ガス式重錘３０の後端と前記ガス式重錘チャンバー１３１の後側壁面との間に補助付勢ユニット３２が設けられ、前記ガス式重錘３０が後側へ移動する時に、前側に向ける復帰力を提供することができる。なお、前記補助付勢ユニット３２はスプリングである。
【００２１】
また、図３に示すように、この構造によると、前記ガス式ピストン２１４が前記第２の気孔１３４を通り越して後方へ移動する時に、空気圧により前記ガス式重錘３０が後側へ押されて前記ガス式重錘チャンバー１３１の後側壁面に衝突することになり、それによって、前記トリガーユニット１１４が引かれる時に、リコイルの衝撃効果を再現することができる。
【００２２】
さらに、図４に示すように、前記ピストン２１１は前記復帰力ユニット２１３による復帰力を受けて前側へ移動し、且つ前記弾性ユニット２１５が前記ガス式ピストン２１４を押して前に向けて移動する時に、その気密空間の空気圧が下がることで、前記ガス式重錘３０がその後側の空気圧により前側へ移動して元の位置に復帰させる。
【００２３】
またさらに、図５に示すように、前記ピストン２１１は前記復帰力ユニット２１３による復帰力を受けて前側へ移動し、且つ前記弾性ユニット２１５が前記ガス式ピストン２１４を押して前に向けて移動し、前記ガス式ピストン２１４が前記第２の気孔１３４を通り越す時、前記第２の気孔１３４から空気が流れ込むことで前記ガス式重錘３０前後の圧力がバランスさせることにより、前記ガス式重錘３０が元の位置に留まり、それによりトリガーを引かれた後の一循環を完成する。
【００２４】
以上に述べた通り、本発明のガス式玩具銃のリコイル伝達構造は、革新的なデザインにより、スプリング等機械的な緩衝と復帰力技術の代わりに、ガス式の構造を利用して、スプリング主体の緩衝と復帰力構造による問題、例えばスプリングの摩耗や弾性疲労、及びスプリングの取り付けと位置決めが困難等の問題を改善することによって、より迫真のリコイル衝撃を提供する他、品質管理的にも有利になり、さらに製品の寿命も伸ばす等、従来技術に比べて多くの利点がある。
【符号の説明】
【００２５】
１０  本体 
１１  中段部
１１１  収容チャンバー
１１２  ピストン筒
１１３  グリップ
１１４  トリガーユニット
１２  バレル
１３  ストック部
１３１  ガス式重錘チャンバー
１３２  貫通孔
１３３  第１の気孔
１３４  第２の気孔
２０  動力ユニット
２１  ピストンユニット
２１１  ピストン
２１１１  櫛歯状構造
２１２  連動ユニット
２１３  復帰力ユニット
２１４  ガス式ピストン
２１５  弾性ユニット
２１４１  第１の気密リング
２２  駆動ユニット
２２１  駆動モータ
２２２  駆動ギアセット
３０  ガス式重錘
３１  第２の気密リング
３２  補助付勢ユニット
【図１】
0005922824.tif 000002
【図２】
0005922824.tif 000003
【図３】
0005922824.tif 000004
【図４】
0005922824.tif 000005
【図５】
0005922824.tif 000006